(57)【要約】　　　（修正有）【課題】治療中における熱源材の移動や消えがなく、かつ使い勝手のよい温灸器の提供。【解決手段】この温灸器は、使い勝手を考慮して、熱源材保持部材Ａと放熱部材Ｂの二部材だけで構成し、熱源材保持部材Ａには、熱源材１を外側から押圧できる鋲を設けるとともに通気穴を設け、通気をよくし、熱源材１の消えを防止するように構成し、熱源保持部材Ａと放熱部材Ｂとが嵌着し結合する箇所には断熱材を配設し、放熱部材Ｂの熱が熱源保持部材Ａに伝達しないように構成ている。【選択図】図３
0003097893.tif 000002
【実用新案登録請求の範囲】
【請求項１】
前端部に内側に突出し、熱源材（１）を保持するための肉厚部（２）を設け、後端部の外側に段差部（３）を設けたアルミ合金等からなる金属製の保持筒体（４）の前記段差部（３）を除く外周に断熱層（５）を施し、さらにその上に外装ゴム層（６）を施し、前記肉厚部（２）の内面に縦方向に適宜間隔を置いて通気穴（７）を設け、さらに前記肉厚部（２）の内面に前記熱源材（１）の外面を押圧し保持するための鋲（８）を突設した熱源材保持部材（Ａ）と前端部の内側に前記保持筒体（４）の段差部（３）に嵌入する段差部（９）を設け、後端部の内側に別の段差部（１０）を設けた断熱性筒体（１１）の前記別の段差部（１０）に、前端部の外側に該別の段差部（１０）に嵌着する段差部（１２）を設けたアルミ合金等からなる金属製の放熱筒体（１３）の前記段差部（１２）を嵌着し、前記断熱性筒体（１１）と前記放熱筒体（１３）の外周に断熱層（５’）を施し、前記放熱筒体（１３）の後端開口部（１４）にセラミック板（１５）を装着し、該セラミック板（１５）の外周部に一部を掛けて、前記断熱層（５’）の上に外装ゴム層（６’）を施し、前記放熱筒体（１３）部に、前記断熱層（５’）及び前記外装ゴム層（６’）を貫通して、通気穴（１６）を設けた放熱部材（Ｂ）とからなることを特徴とする温灸器
【考案の詳細な説明】
【０００１】
【考案の属する技術分野】
この考案は、温灸治療に使用する温灸器に関するものである。
【０００２】
【従来の技術】
従来、セラミックから放射される遠赤外領域の電磁波を患部に浸透させて、細胞や神経等を刺激し、痛みや疲れを軽減、除去する温灸器が知られている（例えば、特許文献１）。
しかし、従来の温灸器は部品数が多く使い勝手がわるく、治療中における振動等でもぐさ等の熱源材が前後に移動したり、通気が不十分で消えやすい等の不具合が生じることがあった。
【０００３】
【特許文献１】実用新案登録第２５４５８１７号
【０００４】
【考案が解決しようとする課題】
この考案は、従来の技術で記述した不具合を解消するためになされたもので、治療中における熱源材の移動や消えがなく、かつ使い勝手のよい温灸器の提供を目的とするものである。
【０００５】
【課題を解決するための手段】
この考案の温灸器は、使い勝手を考慮して、熱源材保持部材と放熱部材の二部材だけで構成し、熱源材保持部材には、熱源材を外側から押圧できる鋲を設けるとともに通気穴を設け、通気をよくし、熱源材の消えを防止するように構成し、熱源保持部材と放熱部材とが嵌着し結合する箇所には断熱材を配設し、放熱部材の熱が熱源保持部材に伝達しないように構成したことを特徴とするものである。
【０００６】
【考案の実施の形態】
この考案の実施の形態の一例を図面を参照しながら説明するに、熱源材保持部材Ａは、図１に示すように、前端部に内側に突出し、もぐさ等の熱源材１を保持するための肉厚部２を設け、後端部の外側に段差部３を設けたアルミ合金等からなる金属製の保持筒体４の段差部３を除く外周に断熱層５を施し、さらにその上に外装ゴム層６を施し、図１（ｂ）に示すように、肉厚部２の内面に縦方向に適宜間隔を置いて通気穴７を設け、さらに肉厚部２の内面に熱源材１の外面を押圧し保持するための鋲８を突設している。なお、図１（ｂ）は、図１（ａ）の右側面図である。
【０００７】
断熱材５，５’としては、例えば、セラミック塗料を塗布したガラスクロス等を適用することができる。外装ゴム層６，６’としては、例えば、熱収縮性ゴムチュ−ブ等を適用することができる。
【０００８】
熱源保持部材Ａは、図１に示すように、断熱層５の両端部を熱収縮性ゴムチュ−ブ等で覆い、断熱層５が露出しないように外装ゴム層６を施し、見栄えを良くしている。
【０００９】
放熱部材Ｂは、図２に示すように、前端部の内側に保持筒体４の段差部３に嵌入する段差部９を設け、後端部の内側に別の段差部１０を設けた断熱性筒体１１の別の段差部１０に、前端部の外側に別の段差部１０に嵌着する段差部１２を設けたアルミ合金等からなる金属製の放熱筒体１３の段差部１２を嵌着し、断熱性筒体１１と放熱筒体１３の外周に断熱層５’を施し、放熱筒体１３の後端開口部１４を塞ぐように、セラミック板１５を装着し、セラミック板１５の外周部に一部を掛けて、断熱層５’の上に外装ゴム層６’を施し、放熱筒体１３部に、断熱層５’及び外装ゴム層６’を貫通して、通気穴１６を設けている。
【００１０】
なお、断熱性筒体１１は耐熱性を備えたポリアミド系繊維等を骨材として所望の形状に成型した筒状体が適用できる。
【００１１】
なお、セラミック板１５は、外装ゴム層６’として使用する熱収縮性ゴムチュ−ブの収縮力によって、放熱筒体１３の後端開口部１４に密接させ固定させている。
【００１２】
図３は、もぐさ等の熱源材１を装着した熱源保持部材Ａに放熱部材Ｂを嵌着した使用状態を示す本願の温灸器の側面図であり、点火した熱源材１は、セラミック板１５を加熱し、セラミック板１５の温度を４０〜４５℃程度に維持できるように、先端部をセラミック板１５から適宜間隔離して、熱源保持部材Ａにセットされる。
【００１３】
放熱筒体１３は、点火した熱源材１によって加熱され、熱くなるが、放熱筒体１３と保持筒体４は断熱性筒体１１を介在して、結合され、放熱筒体１３の熱が熱源保持部材Ａの保持筒体４に伝達しないように構成しているので、熱源保持部材Ａを素手で把持することができるようになっている。
【００１４】
なお、放熱部材Ｂの中空部に溜まった熱源材１からの灰分は、放熱部材Ｂを熱源保持部材Ａから外して、除去できる。図１，図２において、１７は断熱層５，５’固定用のワッシャ−であり、省略してもよい。
【００１５】
【考案の効果】
この考案は上述のように構成されているので、次のような効果を呈する。
（１）熱源材の外面を鋲で押圧しているので、治療中における振動等によって、熱源材が前後に移動することがない。
（２）保持筒体に通気穴を設けているので、熱源材が途中で消えるとう不具合を防止できる。
（３）放熱筒体の熱が熱源保持部材の保持筒体に伝達しないようになっているので、熱源保持部材を素手で把持することができる。
（４）部品数が僅かに二つであるので、使い勝手がよい。
【図面の簡単な説明】
【図１】考案の本体の一実施例を示す熱源保持部材の断面図
【図２】考案の一実施例を示す放熱部材の一部切欠断面図
【図３】熱源保持部材を放熱部材に嵌着した状態を示す側面図
【符号の説明】
１　熱源材
２　肉厚部
３，９，１０，１２　段差部
４　保持筒体
５，５’断熱層
６，６’外装ゴム層
７　通気穴
８　鋲
１１　断熱性筒体
１３　放熱筒体
１４　開口部
１５　セラミック板
１６　通気穴
１７　ワッシャ−
Ａ　熱源材保持部材
Ｂ　放熱部材
【図１】
0003097893.tif 000003
【図２】
0003097893.tif 000004
【図３】
0003097893.tif 000005